(57)【特許請求の範囲】
【請求項１】
長尺状テープを内蔵するテープカセットからテープを引き出しつつ文字等を印字して文字付テープを作成するテープ印字装置において、
底壁を有する装置本体と、
前記装置本体内に配設されるとともにテープカセット装着面を有し、テープカセットに内蔵されたテープの幅方向がなす平面が前記底壁に対して垂直方向となるように前記テープカセットが装着されるカセット装着部と、
前記装置本体の底壁と鈍角をなして形成された側壁と、
前記側壁に形成され、前記テープの幅方向がなす平面が前記底壁に対して垂直方向となる状態を維持しつつ且つテープの下端がテープカセット装着面と平行な状態を維持しつつ前記文字付テープを装置本体外へ排出する排出口とを有し、
前記カセット装着部のテープカセット装着面は前記文字付テープの排出方向に沿って前記底壁側に向かって下方向に所定角度傾斜されているとともに、前記文字付テープは、その下端が所定角度傾斜されたテープカセット装着面と平行な状態を維持しつつ前記側壁に形成された排出口から装置本体外へ排出されることを特徴とするテープ印字装置。
【請求項２】
前記所定角度は１０°乃至３０°の範囲に設定されていることを特徴とする請求項１記載のテープ印字装置。
【請求項３】
前記装置本体の上部を開閉可能に設けられた開閉蓋と、
前記開閉蓋に形成された透視窓と、
前記テープカセットの上面に設けられ、テープカセットに内蔵されるテープの種類を特定するテープ特定表示部とを備え、
前記テープカセットをカセット装着部に装着して開閉蓋を閉じた際に透視窓とテープ特定表示部とは相互に対向し、装置本体の外部から透視窓を介してテープ特定表示部が視認可能にされたことを特徴とする請求項１又は請求項２記載のテープ印字装置。
【発明の詳細な説明】
【０００１】
【発明の属する技術分野】
本発明は長尺状のテープを内蔵するテープカセットを使用し、テープカセットからテープを引き出しつつ文字等を印字して文字付テープを作成するテープ印字装置に関し、特に、幅広のテープを内蔵する大きな高さを有するテープカセットを装置本体内に設けられたカセット装着部に対して装着する場合においても、テープカセットの装着作業を簡単に行うことができるテープ印字装置に関するものである。
【０００２】
【従来の技術】
従来より、長尺状のテープを内蔵するテープカセットを装置本体に装着し、テープカセットからテープを引き出しつつサーマルヘッド等によりテープに文字等の印字を行って文字付テープを作成する各種のテープ印字装置が知られている。
【０００３】
この種のテープ印字装置では、複数種類のテープ幅を有する長尺状テープを内蔵した各種のテープカセットを予め用意しておき、文字付テープの使用目的（例えば、ビデオカセットと音楽録音用カセットとでは、そのテープ幅の相違に基づきカセットの高さが異なり、文字付テープも異なる幅のテープが使用される）に応じて、テープカセットを選択して所望の幅を有する文字付テープが作成される。
【０００４】
また、前記テープ印字装置においては、その装置本体内にテープカセットを装着するカセット装着部が水平状態で配設されているのが一般的であり、かかる場合には、内蔵するテープの幅の種類に対応して高さの異なる各種のテープカセットが、水平状態のカセット装着部に対して上方から装着される。
【０００５】
更に、カセット装着部を装置本体内にて水平状態で配設する関係上、文字付テープの排出方向は、カセット装着部に沿って水平方向となり、これに基づき装置本体に形成される文字付テープの排出口は、装置本体の底壁から垂直状態で連続する一側壁に配置される場合が多い。
【０００６】
【発明が解決しようとする課題】
しかしながら、前記した従来のテープ印字装置では、装置本体内にてカセット装着部が水平状態で配設されており、かかるカセット装着部に対して各種の高さを有するテープカセットを装着する場合、２０ｍｍ程度の高さの小さいテープカセットは比較的容易に上方から水平状態のカセット装着部に装着することが可能であるが、テープカセットの高さが３０ｍｍを越える大きな高さのテープカセットは、水平状態のカセット装着部に対して上方から容易に装着することは一般的に困難である。これは、カセット装着部が水平状態であることから、先ず、テープカセットとカセット装着部とを平行に対面させた後、カセット装着部に対して垂直方向にテープカセットを下方に向かって装着する必要があることに起因する。このような、カセット装着部に対する装着性は、テープカセットの高さが大きくなればなる程低下してしまう傾向がある。
【０００７】
このとき、カセット装着部を大きく構成すれば、カセット装着部に対するテープカセットの装着性を向上することが可能ではあるが、この場合には、装置本体が大型化してテープ印字装置のコストアップを招来するので好ましくない。
【０００８】
また、前記したテープ印字装置では、文字付テープの排出方向はカセット装着部に沿って水平方向となっていることに起因して、文字付テープがテープ排出口から容易に離脱し難くなり、従って、文字付テープを連続的に作成する場合には、文字付テープがテープ排出口で詰まってしまう虞がある。
【０００９】
本発明は前記従来の問題点を解消するためになされたものであり、幅広のテープを内蔵する大きな高さを有するテープカセットを装置本体内に設けられたカセット装着部に対して装着する場合においてもテープカセットの装着作業を簡単に行うことができ、また、文字付テープが連続的に作成された場合においても文字付テープが装置本体の側壁に形成されたテープ排出口で詰まることなく容易に排出することができるテープ印字装置を提供することを目的とする。
【００１０】
【課題を解決するための手段】
前記目的を達成するため請求項１に係るテープ印字装置は、長尺状テープを内蔵するテープカセットからテープを引き出しつつ文字等を印字して文字付テープを作成するテープ印字装置において、底壁を有する装置本体と、前記装置本体内に配設されるとともにテープカセット装着面を有し、テープカセットに内蔵されたテープの幅方向がなす平面が前記底壁に対して垂直方向となるように前記テープカセットが装着されるカセット装着部と、前記装置本体の底壁と鈍角をなして形成された側壁と、前記側壁に形成され、前記テープの幅方向がなす平面が前記底壁に対して垂直方向となる状態を維持しつつ且つテープの下端がテープカセット装着面と平行な状態を維持しつつ前記文字付テープを装置本体外へ排出する排出口とを有し、前記カセット装着部のテープカセット装着面は前記文字付テープの排出方向に沿って前記底壁側に向かって下方向に所定角度傾斜されているとともに、前記文字付テープは、その下端が所定角度傾斜されたテープカセット装着面と平行な状態を維持しつつ前記側壁に形成された排出口から装置本体外へ排出されることを特徴とする。請求項１のテープ印字装置では、カセット装着部が装置本体の底壁に対して所定角度傾斜されているので、テープカセットに内蔵されるテープの幅が広くなってテープカセットの高さが大きくなった場合においても、テープカセットをカセット装着部に対して上方から容易に装着することが可能となり、テープカセットの装着作業を簡単に行うことが可能となるものである。これは、カセット装着部が底壁に対して所定角度傾斜して配設されていることから、テープカセットを手で保持して肘を若干曲げればテープカセットをカセット装着部に対して自然に対向させることができ、そのままテープカセットをカセット装着部に装着すればよいことに基づく。
【００１１】
そして、請求項１に係るテープ印字装置の側壁は、その形成角度（鈍角）と補角の関係にある角度だけ底壁に対して傾斜されることとなり、また、かかる側壁に文字付テープの排出口が形成されているので、排出口は下方に向かって傾斜して形成される。従って、排出口から排出される文字付テープは、その自重によって自然に下方に落下し、これより文字付テープが連続的に作成された場合においても、排出口で詰まることなく容易に排出することが可能となる。
【００１２】
また、請求項２に係るテープ印字装置は、請求項１のテープ印字装置において、前記所定角度は１０°乃至３０°の範囲に設定されていることを特徴とする。このように、カセット装着部の傾斜角度が１０°乃至３０°の範囲に設定されていることに基づき、テープカセットの高さが３０ｍｍを越える場合においても、前記したところに従って、テープカセットをカセット装着部に対して上方から容易に装着することが可能となる。ここに、底壁に対するカセット装着部の傾斜角度は、２０°程度に設定することが望ましい。
【００１３】
更に、請求項３に係るテープ印字装置は、請求項１又は請求項２のテープ印字装置において、前記装置本体の上部を開閉可能に設けられた開閉蓋と、前記開閉蓋に形成された透視窓と、前記テープカセットの上面に設けられ、テープカセットに内蔵されるテープの種類を特定するテープ特定表示部とを備え、前記テープカセットをカセット装着部に装着して開閉蓋を閉じた際に透視窓とテープ特定表示部とは相互に対向し、装置本体の外部から透視窓を介してテープ特定表示部が視認可能にされたことを特徴とする。請求項３のテープ印字装置では、テープカセットをカセット装着部に装着して開閉蓋を閉じた際に透視窓とテープ特定表示部とは相互に対向し、装置本体の外部から透視窓を介してテープ特定表示部が視認可能にされていることから、開閉蓋の透視窓を介して、カセット装着部に装着されているテープカセットの種類を装置本体の外部から容易に視認することが可能となる。
【００１４】
【発明の実施の形態】
以下、本発明に係るテープ印字装置について、本発明を具体化した実施形態に基づき図面を参照しつつ詳細に説明する。先ず、本実施形態に係るテープ印字装置の全体構成について図１に基づき概説する。図１はテープ印字装置の斜視図である。
【００１５】
図１において、テープ印字装置１は、パーソナルコンピュータ（図示せず）に接続されてパーソナルコンピュータからの印字指令に基づき所望の文字付テープＴ（図２、図３参照）を作成するものである。テープ印字装置１は装置本体２を有しており、装置本体２の上面には、開閉蓋３が開閉可能に設けられている。開閉蓋３は、図１中、装置本体２の左端部にて回動可能に軸支されており、また、バネ等の付勢部材を介して常時開放方向に付勢されている。そして、装置本体２の上面側部に配置された開閉ボタン４を押下した際には、開閉蓋３と装置本体２とのロックが解除され、開閉蓋３は付勢部材の作用により開放されるように構成されている。このように開閉蓋３を備えた装置本体２の上面は、中央部から前後方向（図１中、左右側）に向かって傾斜した凸状の円弧面とされており、開閉蓋３もその上面が装置本体２の上面に倣うように凸状に形成されている。
【００１６】
また、開閉蓋３の中央より前方側（図１中、右側）へ傾斜した部分には、透明カバーで覆われた透視窓５が形成されており、かかる透視窓５は、装置本体２内に配設されたカセット装着部１３（後述する）に装着されるテープカセット６（図１中、点線で示す）の上面に設けられたテープ特定表示部７に対応している。即ち、図１に示すように、テープカセット６をカセット装着部１３に装着して開閉蓋３を閉じた際に、透視窓５とテープカセット６のテープ特定表示部７とは相互に対向し、透視窓５の透明カバーを介してテープ特定表示部７を装置本体２の外部から視認することが可能である。ここに、テープ特定表示部７は、例えば、テープカセット６内に内蔵されている長尺状テープ（後述する）のテープ幅、テープの色等を表示するものである。因みに、図１に示すテープ特定表示部７には、テープカセット６内に内蔵されているテープのテープ幅が３６ｍｍであることが示されている。これにより、カセット装着部１３に装着されているテープカセット６の種類等を装置本体２の外部から透視窓５を介して容易に視認することができるものである。
【００１７】
装置本体２は、テープ印字装置１を机上等の設置面に設置される底壁８を有しており、また、前方側（図１中、右側）には側壁９が設けられている。この側壁９には、装置本体２内で作成された文字付テープＴを外部に排出するテープ排出口１０が形成されている。底壁８と側壁９、テープ排出口１０との関係については後述する。
【００１８】
尚、装置本体２の上面側部にて、開閉ボタン４に隣接して設けられたボタン１１は、テープ印字装置１の電源のオン・オフを行う電源ボタンであり、また、ボタン１２は、装置本体２内に配設されているカッタ機構（図示せず）を駆動するカッタ駆動ボタンである。ここに、カッタ駆動ボタン１２は、文字付テープＴを作成した後文字付テープＴを所望の長さにカットする際に押下されるボタンであるが、テープ印字装置１に配設されるカッタ機構については公知であり、その詳細な説明は省略する。
【００１９】
次に、テープ印字装置１の内部構造について図２に基づき説明する。図２はテープ印字装置１の内部を模式的に示す側断面図である。図２において、装置本体２の内部には、テープカセット６を装着するカセット装着部１３が配設されている。かかるカセット装着部１３は、装置本体２の底壁８に対して所定角度α傾斜した状態で配設されている。ここに、所定角度αとしては、例えば、テープカセット６の高さ（内蔵されるテープのテープ幅に応じて変化する）に対応して、１０°乃至３０°の範囲に設定されることが望ましい。本実施形態では、一例としてテープカセット６に内蔵されているテープのテープ幅は３６ｍｍであり、テープカセット６の高さは４０ｍｍ程度になることから、カセット装着部１３の傾斜角度αとしては２０°程度に設定するのが好適である。
【００２０】
ここに、従来におけるように、カセット装着部１３が底壁８と水平状態に配設されている場合には、先ず、テープカセット６とカセット装着部１３とを平行に対面させた後、カセット装着部１３に対して垂直方向にテープカセット６を下方に向かって装着する必要があり、かかる装着作業はテープカセット６の高さが大きいと容易に行うことができない。特に、本実施形態に係るテープ印字装置１は、パーソナルコンピュータに接続して使用するものであり、机上の使用者と正対する位置には、パーソナルコンピュータのキーボードやディスプレイ等が位置するため、机上の使用者から離れた位置、即ち、パーソナルコンピュータの右又は左隣りに置かれることが多い。このようなテープ印字装置１に対して、パーソナルコンピュータと正対した状態でテープカセット６の装着作業を行うのは容易ではない。しかしながら、本実施形態におけるようにカセット装着部１３が底壁８に対して２０°程度傾斜されている場合には、テープカセット６を手で保持して肘を若干曲げればテープカセット６をカセット装着部１３に対して自然に対向させることができ、そのままテープカセット６をカセット装着部１３に装着すればよい。従って、テープカセット６に内蔵されるテープのテープ幅が広くなってテープカセット６の高さが大きくなった場合においても、テープカセット６をカセット装着部１３に対して上方から容易に装着することが可能となり、テープカセット６の装着作業を簡単に行うことができる。特に、最も多く行われるであろうパーソナルコンピュータと正対した状態で正対位置から離れた位置にあるテープ印字装置１に対してテープカセット６の装着作業を行う場合に簡単に行うことができる。
【００２１】
尚、カセット装着部１３の傾斜角度は、各種のテープ幅を有するテープを内蔵するテープカセット６の内最大の高さのテープカセット６に基づき、カセット装着部１３に対するテープカセット６の装着性を勘案して決定すればよい。
【００２２】
ここで、テープカセット６の構成について図３を参照して説明する。図３はテープ装着部１３にテープカセット６を装着した状態を示す平面図（テープカセット６は上ケースを除いて示す）である。
【００２３】
図３において、下ケース１４内には透明なフィルムテープ１５が巻回されたテープスプール１６、サーマルインクリボン１７が巻回されたリボンスプール１８、剥離紙付き両面粘着テープ１９が剥離紙側を外側にして巻回された粘着テープスプール２０が配設されており、これら各スプール１６、１８、２０は図示しない上ケースの下面に設けられた支持部との協働により回転可能に支持されている。  また、各スプール１６、１８、２０の間にリボン巻取スプール２１が同様に回転可能に支持されており、かかるリボン巻取スプール２１はリボン巻取軸３０（図２参照）に噛合されリボン巻取軸３０の駆動により印字で使用されたサーマルインクリボン１７を巻取る。
【００２４】
更に、印字機構ＰＭを構成するサーマルヘッドＨは下ケース１４に設けられた凹部２２に配置され、このサーマルヘッドＨにはローラホルダ２３に回転可能に支持されたプラテンローラ２４が圧接可能な位置に対向配置されている。かかるサーマルヘッドＨは多数の発熱素子（本実施例に係るテープ印字装置１のサーマルヘッドＨでは１２８個の発熱素子が設けられている）を有しており、サーマルインクリボン１７を介してフィルムテープ１５に文字等の印字を行うものである。
【００２５】
また、下ケース１４のテープ排出部２５（図３中左下側）の近傍にテープ圧接ローラ２６が回転可能に支持され、このテープ圧接ローラ２６にはローラホルダ２３に回転可能に支持されたテープ送りローラ２７が圧接可能な位置に対向配置されている。
【００２６】
カセット装着部１３において、テープカセット６の前方（図３中下側）には、ローラホルダ２３が支持軸２８により回動可能に枢支され、このローラホルダ２３は図示しない手動の切換機構により印字位置とリリース位置とに切換可能とされている（図３は印字位置に切り換えられた状態を示す）。
【００２７】
かかるローラホルダ２３には、前記したプラテンローラ２４及びテープ送りローラ２７がそれぞれ回転可能に、且つ、ローラホルダ２３が印字位置に切り換えられたときにサーマルヘッドＨ及び圧接ローラ２６に対し圧接されるように配設されている。尚、テープ送りローラ２７はテープ送りローラ軸（図示せず）により回転駆動され、同時に、圧接ローラ２６は図示しないギヤ機構でテープ送りローラ２７と連動して回転駆動される。
【００２８】
また、圧接ローラ２６及びテープ送りローラ２７は、これらが協働してサーマルヘッドＨによりサーマルインクリボン１７を介して文字等が印字されたフィルムテープ１５に対し両面粘着テープ１９の粘着剤面を圧着し、最終的に文字付テープＴを作成するとともに矢印Ｊ方向に文字付テープＴを送り出すものである。
【００２９】
尚、作成された文字付テープＴは、前記したカッタ駆動ボタン１２を操作することにより、カッタ機構（図示せず）により切断されるとともに、側壁９に形成されたテープ排出口１０から排出される。
【００３０】
図２に戻って説明を続けると、カセット装着部１３には、前記リボン巻取スプール２１に挿嵌されて、使用済みのサーマルインクリボン１７を巻き取るリボン巻取軸３０が設けられており、また、その他テープカセット６における前記動作を可能とする各種の部品が配設されている。カセット装着部１３の下方にはメイン基板３１が配置されており、かかるメイン基板３１には、テープ印字装置１における各種動作を行うＣＰＵ等の各種の電子部品（図示せず）が搭載されている。また、メイン基板３１の下方には電源基板３２が配置されており、この電源基板３２は、電源コネクタ３５から供給される交流電圧（ＡＣ１００Ｖ）に基づいて、印字機構ＰＭにおけるサーマルヘッドＨによる印字動作、リボン巻取軸の巻取動作やテープ送りローラ２７によるテープ送り動作を行う駆動モータの回転駆動等に必要な第１電圧（ＤＣ２４Ｖ）を発生し、また、ＣＰＵ等の動作に必要な第２電圧（ＤＣ５Ｖ）を発生する。かかる第１電圧及び第２電圧を発生すべく電源基板３２には、各種の電子部品３３が搭載されている。
【００３１】
尚、図２において、テープ印字装置１の後方側（図２中、左側）に設けられているＩ／Ｆコネクタ３４は、テープ印字装置１とパーソナルコンピュータとの間で各種のデータを送受信するためのものであり、また、Ｉ／Ｆコネクタ３４の下方に配置された電源コネクタ３５は、電源基板３２に交流電圧を供給するためのものである。
【００３２】
次に、装置本体２の底壁８と側壁９との関係について説明する。図２において、側壁９は、底壁８に対して鈍角βをなして形成されており、これにより側壁９は、その形成角度βと補角の関係にある角度γだけ底壁８に対して傾斜されることとなる。また、かかる側壁９に文字付テープＴのテープ排出口１０が形成されているので、テープ排出口１０は下方に向かって傾斜して形成される。
【００３３】
従って、テープ排出口１０から排出される文字付テープＴは、カッタ機構により切断された後、その自重によって自然に下方に落下し、これより文字付テープＴが連続的に作成された場合においても、テープ排出口１０で詰まることなく容易に排出することが可能となるものである。
【００３４】
尚、本実施形態では、側壁９の形成角度βは１００°程度に設定されており、従って、形成角度βと補角の関係にある角度γは８０°程度に設定されている。
【００３５】
以上詳細に説明した通り本実施形態に係るテープ印字装置１では、カセット装着部１３が装置本体２の底壁８に対して所定角度αだけ傾斜されているので、テープカセット６をカセット装着部１３に装着するには、テープカセット６を手で保持して肘を若干曲げてテープカセット６をカセット装着部１３に対して対向させたままカセット装着部１３に装着すればよく、従って、テープカセット６に内蔵されるテープの幅が広くなってテープカセット６の高さが大きくなった場合においても、テープカセット６をカセット装着部１３に対して上方から容易に装着することが可能となり、テープカセット６の装着作業を簡単に行うことができる。
【００３６】
このとき、所定角度αは、１０°乃至３０°の範囲、望ましくは２０°程度に設定されているので、テープカセット６の高さが３０ｍｍを越える場合においても、テープカセット６をカセット装着部１３に対して上方から容易に装着することが可能となる。
【００３７】
また、装置本体２の側壁９は、底壁８と鈍角をなす形成角度βと補角の関係にある角度γだけ底壁８に対して傾斜されることとなり、また、かかる側壁９に文字付テープＴのテープ排出口１０が形成されているので、テープ排出口１０は下方に向かって傾斜して形成される。従って、テープ排出口１０から排出される文字付テープＴは、カッタ機構により切断された後その自重によって自然に下方に落下し、これより文字付テープＴが連続的に作成された場合においても、テープ排出口１０で詰まることなく容易に排出することが可能となる。
【００３８】
更に、テープカセット６をカセット装着部１３に装着して開閉蓋３を閉じた際に透視窓５とテープ特定表示部７とは相互に対向し、装置本体２の外部から透視窓５を介してテープ特定表示部７が視認可能にされていることから、開閉蓋３の透視窓５を介して、カセット装着部１３に装着されているテープカセット６の種類を装置本体２の外部から容易に視認することが可能となる。特に、カセット装着部１３が前方に向かって傾斜して配設され、透視窓５も開閉蓋３の前方に傾斜した部分に形成されているため、使用者はパーソナルコンピュータに正対した状態でも離れた位置にあるテープ印字装置１の透視窓５を介してテープ特定表示部７を視認することができる。即ち、使用者はテープ印字装置１の上方から透視窓５を覗き込むようなことを行わなくても、斜め上から透視窓５を見ることによりテープ特定表示部７を視認することができる。
【００３９】
尚、本発明は前記実施形態に限定されるものではなく、本発明の要旨を逸脱しない範囲内で種々の改良、変形が可能であることは勿論である。
【００４０】
【発明の効果】
以上説明した通り請求項１のテープ印字装置では、カセット装着部が装置本体の底壁に対して所定角度傾斜されているので、テープカセットに内蔵されるテープの幅が広くなってテープカセットの高さが大きくなった場合においても、テープカセットをカセット装着部に対して上方から容易に装着することが可能となり、テープカセットの装着作業を簡単に行うことが可能となるものである。
【００４１】
更に、請求項１に係るテープ印字装置では、側壁は、その形成角度（鈍角）と補角の関係にある角度だけ底壁に対して傾斜されることとなり、また、かかる側壁に文字付テープの排出口が形成されているので、排出口は下方に向かって傾斜して形成される。従って、排出口から排出される文字付テープは、その自重によって自然に下方に落下し、これより文字付テープが連続的に作成された場合においても、排出口で詰まることなく容易に排出することが可能となる。
【００４２】
また、請求項２に係るテープ印字装置では、カセット装着部の傾斜角度が１０°乃至３０°の範囲に設定されていることに基づき、テープカセットの高さが３０ｍｍを越える場合においても、前記したところに従って、テープカセットをカセット装着部に対して上方から容易に装着することが可能となる。
【００４３】
また、請求項３に係るテープ印字装置では、テープカセットをカセット装着部に装着して開閉蓋を閉じた際に透視窓とテープ特定表示部とは相互に対向し、装置本体の外部から透視窓を介してテープ特定表示部が視認可能にされていることから、開閉蓋の透視窓を介して、カセット装着部に装着されているテープカセットの種類を装置本体の外部から容易に視認することが可能となる。
【図面の簡単な説明】
【図１】  テープ印字装置の斜視図である。
【図２】  テープ印字装置の内部を模式的に示す側断面図である。
【図３】  テープ装着部にテープカセットを装着した状態を示す平面図である。
【符号の説明】
１            テープ印字装置
２            装置本体
３            開閉蓋
５            透視窓
６            テープカセット
７            テープ特定表示部
８            底壁
９            側壁
１０          テープ排出口
１３          カセット装着部
Ｔ            文字付テープ
α            所定角度（底壁とテープ装着部とがなす角度）
β            側壁の形成角度（底壁と側壁とがなす角度）
γ            形成角度βの補角
【図１】
0003876545.tif 000002
【図２】
0003876545.tif 000003
【図３】
0003876545.tif 000004